(57)【要約】【課題】  傾斜面や凹凸のある箇所にコンテナを設置するときも、その傾斜や凹凸の状態に合わせてコンテナを水平にし、かつ安定的に支持することができるコンテナ支持台を提供する。【解決手段】  上下一対の支持板１０・２０を、上下の支持面間が平行になる状態を含む範囲で角度変化できるよう、支軸３０を介して接続する。そして、上記一対のうち下方の支持板２０の下面に１以上のブロック２２を上下に重ねて連結するとともに、上方の支持板１０の上面に、コンテナのコーナーキャスティングの穴に下方から挿入されて連結されるように突起１４を設ける。【選択図】  図１
0003220153.tif 000002
【実用新案登録請求の範囲】
【請求項１】
コンテナを水平に設置するためのコンテナ支持台であって、
上下一対の支持板が、上下の支持面間が平行になる状態を含む範囲で角度変化できるように支軸を介して接続されているとともに、上記いずれかの支持板に、１以上のブロックが上下に重ねられて連結され得ることを特徴とするコンテナ支持台。
【請求項２】
上記一対のうち下方の支持板の下面に、１以上のブロックが上下に重ねられて連結され得るとともに、上記一対のうち上方の支持板の上面に、コンテナのコーナーキャスティングの穴に下方から挿入されて連結され得る突起が設けられていることを特徴とする請求項１に記載のコンテナ支持台。
【請求項３】
上記上方の支持板の上面に、上記の突起が、取り付け向きを水平方向に９０°変更できるように取り付けられていることを特徴とする請求項２に記載のコンテナ支持台。
【請求項４】
上記のブロックがＰＥ製であり、上下向きに通されるボルトにより連結されて上記下方の支持板に固定されるものであることを特徴とする請求項２または３に記載のコンテナ支持台。
【請求項５】
コンテナの底部における４箇所のコーナーキャスティングに上記各突起が挿入されて配置されるよう、４台が一組となっていることを特徴とする請求項２〜４のいずれかに記載したコンテナ支持台。
【考案の詳細な説明】
【技術分野】
【０００１】
請求項に係る考案は、地面等にコンテナを水平に設置するためのコンテナ支持台に関するものである。
【背景技術】
【０００２】
コンテナは、よく知られているように、貨物の輸送や保管に使用される容器である。それを地面に置く場合には、安定状態に設置することに加え、貨物の種類やその保管期間等によってはコンテナ（の床面）を水平にすることが必要になる。
【０００３】
地面に傾斜や凹凸がある場合であってもコンテナを水平に設置するために、コンテナの下にブロックを敷くことが一般に行われている。コンテナの各部に厚さ（高さ）の異なるブロックを敷くことによって、コンテナを水平にすることができる。また、ブロックを敷いてコンテナを浮かせておくと、フォークリフト等でコンテナを移動させることも容易になる。
コンテナの下にブロックを敷く例は、たとえば下記の特許文献１に記載がある。
【先行技術文献】
【特許文献】
【０００４】
【特許文献１】実開平５−７７１０３号公報
【考案の概要】
【考案が解決しようとする課題】
【０００５】
特許文献１にはブロックの材質についての記載はない。また、それに記載の例は、水平に設けた桁の上にコンテナを設置するものであるため、厚さの異なるブロックを使用することや複数枚のブロックを重ねて使用することは想定されていない。
【０００６】
しかしながら、一般的には、コンテナを設置する場合のブロックの使い方には配慮が必要である。すなわち、コンクリート製のブロックを使用すると、コンテナを置いたときに割れてしまうことがある。ＰＥのような樹脂製のブロックだと、複数枚を重ねて使用するとき滑って位置がずれてしまいやすい。また、金属製のものは重くて使いづらい。
そのほか、設置箇所の傾斜が大きい場合、普通にブロックを使用するとコンテナの支持状態が不安定になりがちである。そのような場合、地面とコンテナの下面とが平行でないにもかかわらず、両者間に挟まれるブロックの厚さが均一であると、コンテナの荷重がブロックの一部分のみに偏って作用するからである。
【０００７】
請求項に係る考案は、以上のような点を考慮してなしたもので、傾斜面や凹凸のある箇所にコンテナを設置するときも、その傾斜や凹凸の状態に合わせてコンテナを水平にし、かつ安定的に支持することができるコンテナ支持台を提供するものである。
【課題を解決するための手段】
【０００８】
本考案は、コンテナを水平に設置するためのコンテナ支持台であって、
・  上下一対の支持板が、上下の支持面間が平行になる状態を含む範囲で角度変化できるように支軸を介して接続されているとともに、
・  上記いずれかの支持板に、１以上のブロックが上下に重ねられて連結され得る
ことを特徴とする。
図１に考案の一例を示しており、図中の符号１０・２０が支持板である。それぞれの上面・下面が支持面１０ａ・２０ａであり、それらの間が角度変化できるよう支軸３０で接続されている。一方の支持板２０には、任意の枚数のブロック２２が積層され、ボルト２３により連結されている。ブロック２２を１枚も連結しないで支持台１を使用することもできる。
【０００９】
考案による上記のコンテナ支持台は、ブロックの積層数によって高さを調節することができる。そのため、コンテナの四隅等の下にそれぞれを配置して各支持台の高さを調節することにより、傾斜や凹凸のある地面等にもコンテナを水平に設置することができる。ブロックは、重ねられるとともにいずれかの支持板に連結され得ることから、滑りやすい材質のブロックを使用しても位置がずれることがない。
上下一対の支持板が支軸を介して接続され、相互間の角度を変更できるため、設置箇所の傾斜が大きい場合にもコンテナの支持状態を安定的に保つことができる。地面（コンテナ支持台を置く部分）が傾斜していて、水平にしたコンテナの下面との関係が平行でないときも、それらの間の角度に上下の支持面間の角度を合わせることができるからである。
【００１０】
上記考案のコンテナ支持台については、
・  上記一対のうち下方の支持板の下面に、１以上のブロックが上下に重ねられて連結され得るとともに、
・  上記一対のうち上方の支持板の上面に、コンテナのコーナーキャスティングの穴に下方から挿入されて連結され得る突起が設けられているとよい。
コーナーキャスティングとは、コンテナの上下の隅角部８箇所に設けられているボックス状の金具であり、側面と上面または下面に長円形状の穴があいていてコンテナの連結や吊り上げ等の際に利用されるものである。
図１に例示したコンテナ支持台においても、下方の支持板２０の下面にブロック２２が連結され得るようになっており、上方の支持板１０の上面に突起１４が設けられている。突起１４は直方体状のもので、図２に示すように、コンテナのコーナーキャスティング３（の長円形状の穴）に下方から挿入され、その穴から抜け出ないようピン１５にてキャスティング３に連結される。
【００１１】
上方の支持板の上面に上記の突起が取り付けられていると、考案の支持台とコンテナとを簡単かつ確実に連結することができる。コーナーキャスティングを利用するため、支持台との連結用の穴などをわざわざコンテナに形成する必要がない。
なお、コーナーキャスティングに対し、上記の突起を挿入するとともに連結するのであるから、フォークリフトや他の荷役機械を用いてコンテナを持ち上げると、それに連結された状態の支持台も持ち上げられる。そうして支持台が持ち上げられると、ブロックの積層数を変更する等の作業を行いやすい。
【００１２】
考案の支持台については、とくに、
・  上記上方の支持板の上面に、上記の突起が、取り付け向きを水平方向に９０°変更できるように取り付けられていると好ましい。
図１・図２の例でも、突起１４は、連結ボルト１３を一旦取り外すことによって向きを９０°変更し、再び突起１４を上方の支持板１０に取り付けることができる。なお、コーナーキャスティング３の穴が長円形状であるため、突起１４は、その穴に入るように水平断面形状を長円形または長方形に近い外形にするのがよい。
突起の向きを上記のように変更できるようにすると、考案の支持台は、設置箇所がコンテナの長さ方向に傾斜している場合（図３を参照）にも、コンテナの幅方向に傾斜している場合（図４を参照）にも、支持板間の角度を当該傾斜に適合させて、コンテナの支持状態を安定させることができる。
【００１３】
また、とくに、
・  上記のブロックがＰＥ（ポリエチレン）製であり、上下向きに通されるボルトにより連結されて上記下方の支持板に固定されるものであると好ましい。
図１の例でも、ブロック２２としてＰＥ製のものを使用し、積層数に応じた長さの連結用ボルト２３（２３ａ・２３ｂ・２３ｃ）によって支持板２０に固定している。
ＰＥ製のブロックは、軽量であり割れにくくて扱いやすいうえ、コスト面でも有利である。重ねて使用すると互いに滑って位置がずれやすいが、上記のようにボルトによって連結するならそのような不都合は生じない。
【００１４】
なお、考案の支持台は、
・  コンテナの底部における４箇所のコーナーキャスティングに上記各突起が挿入されて配置されるよう、４台が一組となっているとよい。
図３および図４の例でも、支持台１は４台を一組として使用している。
コーナーキャスティングはコンテナの上下の隅角部８箇所にあり、接地面側すなわち下部には４箇所に設けられているため、それら４箇所のそれぞれに使用できるよう、支持台は４台一組とするのがよい。
ただし、長尺のコンテナに対しては、上記の４台に加えて、上記の突起を有しないものの上記した他の特徴を有する支持台を、コンテナの中ほど部分の底部に併せて使用するのもよい。
【考案の効果】
【００１５】
考案のコンテナ支持台は、高さ調節が可能であるため、コンテナの下部の複数箇所にそれぞれ配置することにより、傾斜や凹凸のある地面等にもコンテナを水平に設置することを可能にする。上記した高さ調節はブロックの積層数を変更することにより行うが、ブロックが支持板に連結され得るため、ブロックが滑ってその位置がずれる恐れはない。さらに、上下一対の支持板が相互間の角度を変更できるため、設置箇所の傾斜が大きい場合等にもコンテナの支持状態を安定的に保つことができる。
上方の支持板の上面に、コーナーキャスティングの穴に下から挿入されて連結され得る突起が取り付けられていると、コンテナに対して考案の支持台を簡単・確実に連結することができる。支持台をコンテナに連結すると、コンテナを持ち上げるときブロックの積層数を容易に変更することができる。
また、上記支持板における上記突起の向きを変更できるようにしておくと、コンテナの設置箇所がどの方向に傾斜している場合にも、コンテナの支持状態を安定させることができる。
【図面の簡単な説明】
【００１６】
【図１】考案の実施例であるコンテナ支持台１について全体を示す正面図である。図１（ａ）はブロック２２を１枚のみ重ねて連結した場合、同（ｂ）はブロック２２を２枚重ねて連結した場合、同（ｃ）はブロック２２を３枚連結した場合を示している。
【図２】図１のコンテナ支持台１について、上方の支持板１０に設けた突起１４の構造と、コンテナのコーナーキャスティング３との関係を示す図である。図２（ａ）は平面図、同（ｂ）は正面図、同（ｃ）は測面図である。
【図３】傾斜のある地面に４台の支持台１を使用してコンテナ２を設置した状態を示す図であって、図３（ａ）は正面図、同（ｂ）は側面図である。
【図４】図３とは別の傾斜のある地面に、４台の支持台１を使用してコンテナ２を設置した状態を示す図であって、図４（ａ）は正面図、同（ｂ）は側面図である。
【考案を実施するための形態】
【００１７】
考案の実施例を図１〜図４に示す。
コンテナ支持台１は、図３または図４に示すように、複数（通常は４台）を使用して地面Ｇ上にコンテナ２を設置するものである。高さを変更することができ、また、図１・図２に示す支持板１０・２０間（支持面１０ａ・２０ａ間）の角度を変更できることから、地面Ｇに傾斜や凹凸がある場合にもコンテナ２を水平に設置することが可能である。
【００１８】
コンテナ支持台１は図１（ａ）〜（ｃ）に示すとおり構成している。すなわち、
1)  まず、上部に平坦な支持面１０ａを有し下部にブラケット１１を有する上方の支持板１０と、下部に平坦な支持面２０ａを有し上部にブラケット２１を有する下方の支持板２０とを、双方のブラケット１１・２１間に通す支軸３０によって連結する。支軸３０として円柱状の軸を使用することにより、支持板１０と２０とが相互間の角度を円滑に変更できるようにする。その角度変更の範囲は、支持面１０ａ・２０ａ間が平行になる状態を中心に±５°程度以上とする。
【００１９】
2)  上方の支持板１０の上面の中央付近には、上向きの突起１４を取り付ける。突起１４は、鉄製の角パイプをカットして下向きの端部に鉄板を溶接したものである。支持板１０の上面に取付座１２を設けたうえ、その上に上記鉄板を重ね、ボルト１３を用いて突起１４を固定する。突起１４と取付座１２とは、後述するようにコンテナ２（図３・図４参照）のコーナーキャスティング３（図２参照）の穴に下方から挿入する部材である。コーナーキャスティング３の穴が長円形であることから、その穴の内側に密に嵌ってガタつきにくいように、突起１４および取付座１２は水平断面形状（外形）を図２（ａ）に示すように長方形にしている。また、上記の穴に嵌った突起１４がコーナーキャスティング３に連結された状態を保てるよう、図１のとおり突起１４の中ほどに貫通孔１４ａを設け、図２のようにその孔１４ａに連結用のピン１５（コーナーキャスティング３のほぼ全長に及ぶ長さを有し、抜け止め片１５ａを付属している）を挿通できるようにしている。
【００２０】
3)  下方の支持板２０には、図１（ａ）〜（ｃ）のように複数枚のブロック２２を重ねて連結できるようにする。各ブロック２２はたとえばＰＥ（ポリエチレン）製とし、厚さ５０ｍｍのものやそれより薄いもの等を多数枚用意しておく。各ブロック２２の四隅の付近に厚さ方向への貫通孔を形成しておき、そこに連結用のボルト２３を通す。ボルト２３は、積層するブロック２２の枚数に応じて長さの異なるもの（図示の例では２３ａ・２３ｂ・２３ｃ）を使用する。使用するブロック２２と支持板２０とをそのボルト２３でつなぐことにより、支持板２０にブロック２２を連結し固定する。
【００２１】
図３・図４に示すように、コンテナ２には隅角部８箇所にコーナーキャスティング３が取り付けられている。コンテナ２を地面Ｇに設置する際には、下部４箇所にあるコーナーキャスティング３の下に、上記のコンテナ支持台１を取り付ける。コーナーキャスティング３に対するコンテナ支持台１の上部の結合状態は図２（ｃ）〜（ｃ）のとおりである。
すなわち、コーナーキャスティング３の下方に設けられた長円形の穴に上記の突起１４および取付座１２を下から挿入し、連結用のピン１５を、コーナーキャスティング３の側部の穴から挿入する。図２（ｂ）に示すようにピン１５は十分な長さを有するものであるため、ピン１５を挿入した後は、支持台１がコーナーキャスティング３に連結された状態になり、突起１４がコーポレーション１３の穴から抜け出なくなる。ピン１５に付属の抜け止め片１５ａの突出向きを設定しておけば、当該抜け止め片１５ａがコーナーキャスティング３の内側に掛かることによりピン１５が突起１４から外れることが防止される。
【００２２】
図３（ａ）・（ｂ）のように、コンテナ２の長さ方向に傾斜のある地面Ｇにコンテナ２を設置しようとするときは、図１・図２の状態のコンテナ支持台１を、それぞれのブロック２２の枚数を調節しながら４隅のコーナーキャスティング３の下に取り付ける。コンテナ２を水平にするためにブロック２２の枚数を変更するときは、フォークリフト（図示省略）等でコンテナ２とともに支持板１０を持ち上げ、その間にブロック２２を付け替えるとよい。コンテナ２を設置したとき、支軸３０をはさんだ上下の支持板１０・２０間の角度が地面Ｇの傾斜に合わせて定まるため、安定した設置状態が実現する。
【００２３】
一方、図４（ａ）・（ｂ）のようにコンテナ２の幅方向に傾斜のある地面Ｇにコンテナ２を設置するときは、図１・図２の状態のコンテナ支持台１において、まず、支持板１０に対する上部の突起１４の向きを９０°変更する必要がある。コンテナ２のコーナーキャスティング３の下方の穴はコンテナ２の長さ方向に長い長円形であるため突起１４の長辺の向きは図３の場合と同じでなければならないが、上下の支持板１０・２０間の角度を地面Ｇの傾斜に適合させるためには、支軸３０の向きが図３の場合とは９０°異なる必要があるからである。
支持板１０に対する突起１４の向きを上記のとおり変更するには、図１に示すボルト１３を一旦取り外して突起１４を水平に回転させ、その後に再びボルト１３を用いて突起１４を支持板１０に固定する。
そのようにして支持台１を使用してコンテナ２を設置すると、図４（ｂ）のように地面Ｇが傾斜している場合であっても，図３の場合と同様の安定した設置状態が実現する。
【００２４】
以上、図面にしたがって考案の実施例を示したが、考案の範囲はこの例に限るものではない。たとえば、コンテナ２が大型（長尺）である場合には、４隅のコーナーキャスティング３の下に支持台１を配置するのみでなく、長さの中央付近等にも支持台を配置するとよい。その場合、コンテナ２の中央付近には突起１４を挿入する穴がないため、支持台１としては、支持板１０の上面に突起１４を有しないものを使用する。また、支持台１で使用するブロック２２の材質として、ＰＥ以外のもの（他の樹脂や木材その他）を使用することも可能である。
【符号の説明】
【００２５】
１  コンテナ支持台
２  コンテナ
３  コーナーキャスティング
１０  （上方の）支持板
１４  突起
２０  （下方の）支持板
２２  ブロック
３０  支軸
【図１】
0003220153.tif 000003
【図２】
0003220153.tif 000004
【図３】
0003220153.tif 000005
【図４】
0003220153.tif 000006